(57)【要約】【課題】  自己紹介ビデオ等のビジュアル情報を効率的かつ感性豊かに作成することを可能にするビジュアル情報の記録方法等を提供する。【解決手段】  予め編集されたシナリオに従って、プレゼンターに提示されるべきテキストカード(9a)を撮像部(5)と重なるよう、表示部(21)のモニタ画面(8)上に逐次表示していく表示工程と、撮像部(8)を介して取り込まれる、モニタ画面(8)上の特定部位に表示されたテキストカード(9a)に従ってプレゼンテーションを行うプレゼンターの映像と該プレゼンターが発する音声とを含むビジュアル情報を記録媒体に記録していく記録工程とが並行して行われる。【選択図】  図９
2005027236.tif 000002
【特許請求の範囲】
【請求項１】
プレゼンターの前方に配置され、所定情報をモニタ画面上に表示可能な表示部と、該プレゼンターと表示部との間であって該プレゼンターから見て該表示部のモニタ画面の一部と重なるよう又は該モニタ画面に埋め込まれた状態で配置された撮像部とを少なくとも備えた端末装置を用意し、
予め編集されたシナリオに従って、前記プレゼンターに提示されるべきプレゼンテーション内容を、前記プレゼンターから見て前記撮像部と重なるよう又は該撮像部の周辺に前記表示部のモニタ画面上に逐次表示していく表示工程と、
前記撮像部を介して取り込まれる、前記モニタ画面上の特定部位に提示されたプレゼンテーション内容に従ってプレゼンテーションを行う前記プレゼンターの映像と該プレゼンターが発する音声とを含むビジュアル情報を所定の記録媒体に記録していく記録工程とを並行して行うことを特徴とするビジュアル情報の記録方法。
【請求項２】
前記シナリオは、前記プレゼンターが行うべきプレゼンテーションの項目ごとに、前記モニタ画面上に表示される前記プレゼンテーション内容とその表示時間が対応付けられて順次記録されたタイムテーブルを含むことを特徴とする請求項１記載のビジュアル情報の記録方法。
【請求項３】
前記記録工程において、前記プレゼンターが行うべきプレゼンテーションの項目に対応付けられた状態で、前記撮像部を解して取り込まれた該プレゼンターの映像及び音声が前記記録媒体に順次格納されることを特徴とする請求項１記載のビジュアル情報の記録方法。
【請求項４】
前記表示工程において、前記プレゼンターに提示されるプレゼンテーション内容とともに、少なくとも該プレゼンターに次に提示されるプレゼンテーション内容を、前記シナリオを参照しながらモニタ画面上に同時に表示することを特徴とする請求項１記載のビジュアル情報の記録方法。
【請求項５】
前記表示工程において、前記モニタ画面上には、前記プレゼンターが行うべきプレゼンテーション内容が表示されてからの経過時間情報が表示されることを特徴とする請求項１記載のビジュアル情報の記録方法。
【請求項６】
プレゼンターの前方に配置された表示部と、
前記プレゼンターと前記表示部との間であって該プレゼンターから見て該表示部のモニタ画面の一部と重なるよう又は該モニタ画面に埋め込まれた状態で配置された撮像部と、
前記プレゼンターに提示されるプレゼンテーション内容及びその表示順序を示すシナリオが格納されたシナリオＤ／Ｂと、
前記シナリオＤ／Ｂに格納されたシナリオに従って、前記プレゼンターに提示されるべきプレゼンテーション内容を、前記プレゼンターから見て前記撮像部と重なるよう又は該撮像部周辺に前記表示部のモニタ画面上に逐次表示していく表示工程と、前記撮像部を介して取り込まれる、前記モニタ画面上の特定部位に表示されたプレゼンテーション内容に従ってプレゼンテーションを行う前記プレゼンターの映像と該プレゼンターが発する音声とを含むビジュアル情報を所定の記録媒体に記録していく記録工程とを並行して行うよう制御する制御部とを備えた簿中ある情報の記録装置。
【請求項７】
前記シナリオは、前記プレゼンターが行うべきプレゼンテーションの項目ごとに、前記モニタ画面上に表示される前記プレゼンテーション内容とその表示時間が対応付けられて順次記録されたタイムテーブルを含むことを特徴とする請求項６記載のビジュアル情報の記録装置。
【請求項８】
前記制御部は、前記記録工程において、前記プレゼンターが行うべきプレゼンテーションの項目に対応付けられた状態で、前記撮像部を解して取り込まれた該プレゼンターの映像及び音声を、前記記録媒体に格納させることを特徴とする請求項６記載のビジュアル情報の記録装置。
【請求項９】
前記制御部は、前記表示工程において、前記プレゼンターに提示されるプレゼンテーション内容とともに、少なくとも該プレゼンターが次に提示されるプレゼンテーション内容を、前記シナリオを参照しながらモニタ画面上に同時に表示させることを特徴とする請求項６記載のビジュアル情報の記録装置。
【請求項１０】
前記制御部は、前記表示工程において、前記モニタ画面上に、前記プレゼンターが行うべきプレゼンテーション内容が表示されてからの経過時間情報を表示させることを特徴とする請求項６記載のビジュアル情報の記録装置。
【請求項１１】
コンピュータにより請求項１〜５のいずれか一項記載のビジュアル情報の記録方法を実行するコンピュータプログラム。
【請求項１２】
コンピュータにより請求項１〜５のいずれか一項記載のビジュアル情報の記録方法を実行するコンピュータプログラムが記録された記録媒体。
【発明の詳細な説明】
【技術分野】
【０００１】
この発明は、自己紹介ビデオ等のビジュアル情報の記録方法、記録装置、該記録方法を実行するコンピュータプログラム、該コンピュータプログラムが記録された記録媒体に関するものである。
【背景技術】
【０００２】
近年、人材派遣会社、結婚相談所などでは、遠隔地における当事者間のコミュニケーションを可能にすべく、ビデオレターを介した人材紹介が行ってきた。また、自己紹介等において、視覚や聴覚に訴えるコミュニケーションツールとして、インスタントカメラで撮影された写真と音声が記録されたメッセージカードも提供されている（特許文献１参照）。なお、特許文献２、３にも、自己紹介等のビジュアル情報を記録する技術が開示されている。
【０００３】
遠隔地の就職希望者に対して就職斡旋を行う場合、まず人材派遣会社は、該就職希望者の自己紹介ビデオを作成し、この自己紹介ビデオを求人会社の担当者に郵送する。求人会社の担当者は、自己紹介ビデオを観てこのプレゼンターである就職希望者を採用するか否かの判断を行うことになる。
【０００４】
一方、インターネット等の電子通信技術の発達により、有線、無線を問わず所定の伝送手段を介した遠隔地間で、テキストデータや映像データを送受信する遠隔地対話を実現するテレビ会議システムが構築されており、このような双方向対話型システムを利用したリアルタイムでの遠隔地面接も試みられている（特許文献４、５参照）。
【特許文献１】実開２００１−６３号要約
【特許文献２】特開平１１−２１７５７６号要約
【特許文献３】特開２００３−４４４００号公報
【特許文献４】米国特許第６，１３７，５２６号公報
【特許文献５】米国特許第第６，００５，６０４号公報
【発明の開示】
【発明が解決しようとする課題】
【０００５】
発明者らは、従来の自己紹介等に利用されるコミュニケーションツールについて検討した結果、以下のような課題を発見した。
【０００６】
すなわち、人材派遣会社等が就職希望者の自己紹介ビデオを作成する場合、プレゼンターである就職希望者は撮影スタジオなど指定された場所に出向かなければならず、また、その撮影には就職希望者の他、撮影者など複数の人間が一定時間拘束されることになる。一方、テレビ会議システムを介してリアルタイムで就職面談する場合であっても、求人会社の担当者は複数の就職希望者と面談しなければならないケースがほとんどであり、この就職面談に係る担当者の負担は小さくない。
【０００７】
さらに、上述のように自己紹介ビデオを作成する場合、就職希望者がカメラに向かって話しかけたとしても、何を、どのような順で話してよいのか対話構成がしにくい。就職希望者が原稿を読むことにすると、該就職希望者の顔がカメラに対して下向きになり、感性豊かなプレゼンテーションになり難い。また、３分〜５分の限られた時間内に所定事項を十分に表現するには相当の練習が必要になる。このように、カメラを見ながら感性豊かに予め決められた内容を時間通りにプレゼンテーションする自己紹介ビデオ等の作成はきわめて困難であった。
【０００８】
この発明は上述のような課題を解決するためになされたものであり、人材派遣会社や結婚相談所などで利用されるような自己紹介ビデオ等のビジュアル情報を効率的かつ感性豊かに作成することを可能にするビジュアル情報の記録方法、記録装置、該記録方法を実行するコンピュータプログラム、及び該コンピュータプログラムが格納される記録媒体を提供することを目的としている。
【課題を解決するための手段】
【０００９】
この発明に係るビジュアル情報の記録方法は、就職希望者などのプレゼンターの前方に配置され、所定情報をモニタ画面上に表示可能な表示部と、該プレゼンターと表示部との間であって該プレゼンターから見て該表示部のモニタ画面の一部と重なるよう又は該モニタ画面に埋め込まれた状態で配置された撮像部とを少なくとも備えた端末装置を利用して行われる。
【００１０】
この発明に係るビジュアル情報の記録方法では、プレゼンターが行うべきプレゼンテーションの項目ごとに、モニタ画面上に表示されるプレゼンテーション内容とその表示時間が対応付けられて順次記録されたタイムテーブルを含むシナリオの編集が予め行われている。そして、このシナリオに従って、プレゼンターにプレゼンテーション内容を提示していく表示工程と、該プレゼンターの実際のプレゼンテーションを記録していく記録工程とが平行して行われることを特徴としている。なお、上記表示工程は、プレゼンターに提示されるべきプレゼンテーション内容を、表示部のモニタ画面上の領域であって該プレゼンターから見て撮像部と一部重なるよう又は該撮像部の周辺に逐次表示していく。また、上記記録工程は、撮像部を介して取り込まれる、モニタ画面上の特定部位に提示されたプレゼンテーション内容に従ってプレゼンテーションを行うプレゼンターの映像と該プレゼンターが発する音声とを含むビジュアル情報を所定の記録媒体に記録していく。また、ビジュアル情報が記録される記録媒体には、ハードディスク（Ｈ／Ｄ）、ビデオＣＤ、ＤＶＤ、ビデオテープ等が含まれる。
【００１１】
以上のように、この発明に係るビジュアル情報の記録方法では、撮像部に向かってプレゼンターが生き生きと語りかけられる状態を効率よく構築するため、原稿や補助となるテキストカードをカメラ周辺に配置する。一般的に、モニタ上に表示されるテキストカードは視線一致状態となる視差角３°以内であるのが好ましいが、厳密さが要求されない場合には、撮像部をモニタ画面と重なるように配置することによっても、該撮像部をモニタ画面の外側に配置する場合と比較して、プレゼンターの表情の伝達性は著しく向上する。
【００１２】
さらに、この発明に係るビジュアル情報の記録方法は、上記記録工程において、プレゼンターが行うべきプレゼンテーションの項目に対応付けられた状態で、撮像部を解して取り込まれた該プレゼンターの映像及び音声を、所定の記録媒体に順次格納していくのが好ましい。この場合、該記録媒体に格納されたビジュアル情報がプレゼンテーションの項目ごとに整理された状態で管理されるため、該ビジュアル情報を再生する際に、観察者が知りたい項目や興味を持った項目を選択的に再生することができ、効率的な観察が可能になる。
【００１３】
また、上記表示工程において、プレゼンターに提示されるプレゼンテーション内容とともに、少なくとも該プレゼンターに次に提示されるプレゼンテーション内容を、前記シナリオを参照しながらモニタ画面上に同時に表示してもよい。この場合、プレゼンターは、次に行わなければならないプレゼンテーション内容も必然的に視野に入るため、全体としてプレゼンテーションのペースをつかみやすくなる。
【００１４】
さらに、上記表示工程において、モニタ画面上には、プレゼンターが行うべきプレゼンテーション内容が表示されてからの経過時間情報が表示されるのが好ましい。プレゼンターの生き生きとした表情、視線を伝達することは、コミュニケーションにとって基本的かつ重要なことであるが、さらにプレゼンテーションでは、時間内に終了することも重要である。そのため、モニタ画面上にプレゼンテーション内容を示すテキストカードとともに時間情報を知らせる表示機能を設けることにより、プレゼンターはプレゼンテーションのペースをつかむことができる。
【００１５】
具体的には、時間軸バーがモニタ画面上に表示されたテキストカード下部に表示されることにより、プレゼンターに時間感覚を持たせることができる。この表示されるテキストカードは、タイムスケジュール（シナリオ）に従って自動的に切り替えられても手動で切り替えられてもよい。
【００１６】
上述のようなビジュアル情報の記録方法を具体的に実施するための記録装置（この発明に係るビジュアル情報の記録装置）は、プレゼンターの前方に配置される表示部と、該プレゼンターを撮像するＣＣＤカメラ等の撮像部と、シナリオＤ／Ｂと、該プレゼンターが行うプレゼンターションをビジュアル情報として所定の記録媒体に記録していく制御部とを備える。
【００１７】
上記撮像部は、プレゼンターと表示部との間であって該プレゼンターから見て該表示部のモニタ画面の一部と重なるよう又は該モニタ画面に埋め込まれた状態で配置される。上記シナリオＤ／Ｂは、プレゼンターに提示されるプレゼンテーション内容及びその表示順序を示すシナリオが格納されている。このシナリオは、プレゼンターが実際にプレゼンテーションをスタートさせる前に予め編集されている。また、上記制御部は、このシナリオＤ／Ｂに格納されたシナリオに従って、プレゼンターにプレゼンテーション内容を提示していく表示工程と、該プレゼンターの実際のプレゼンテーションを記録していく記録工程とを平行して行う。
【００１８】
なお、上記制御部は、上記表示工程において、プレゼンターに提示されるべきプレゼンテーション内容を、表示部のモニタ画面上の領域であって該プレゼンターから見て撮像部と重なるよう又は該撮像部の周辺に逐次表示させる。また、上記制御部は、記録工程において、撮像部を介して取り込まれる、モニタ画面上の特定部位に表示されたプレゼンテーション内容に従ってプレゼンテーションを行うプレゼンターの映像と該プレゼンターが発する音声とを含むビジュアル情報を所定の記録媒体に記録させる。
【００１９】
上記シナリオは、プレゼンターが行うべきプレゼンテーションの項目ごとに、モニタ画面上に表示される前記プレゼンテーション内容とその表示時間が対応付けられて順次記録されたタイムテーブルを含む。
【００２０】
上記記制御部は、記録工程において、プレゼンターが行うべきプレゼンテーションの項目に対応付けられた状態で、撮像部を解して取り込まれた該プレゼンターの映像及び音声を、記録媒体に格納させてもよい。また、表示工程において、上記制御部は、プレゼンターに提示されるプレゼンテーション内容とともに、少なくとも該プレゼンターが次に提示されるプレゼンテーション内容を、シナリオを参照しながらモニタ画面上に同時に表示させてもよい。さらに、表示工程において、上記制御部は、モニタ画面上に、プレゼンターが行うべきプレゼンテーション内容が表示されてからの経過時間情報を表示させてもよい。
【００２１】
上述のようなビジュアル情報の記録方法は、コンピュータ等で実行されるプログラムであってもよく、この場合、当該プログラムは、有線、無線を問わずネットワークを介して配信されてもよく、また、上記サーバや端末装置で管理されるＣＤ、ＤＶＤ、フラッシュメモリ、ビデオテープ等の記録媒体に格納されていてもよい。
【発明の効果】
【００２２】
以上のようにこの発明によれば、予め編集されたシナリオに従って、プレゼンターに提示されるべきプレゼンテーション内容を該プレゼンターから見て撮像部と重なるよう、表示部のモニタ画面上に逐次表示していく表示工程と、撮像部を介して取り込まれる、モニタ画面上の特定部位に提示されたプレゼンテーション内容に従ってプレゼンテーションを行うプレゼンターの映像と該プレゼンターが発する音声とを含むビジュアル情報を所定の記録媒体に記録していく記録工程とが並行して行われる。これにより、プレゼンター自身が自己紹介ビデオ等のビジュアル情報を効率的にかつ感性豊かに作成できるという効果がある。
【発明を実施するための最良の形態】
【００２３】
以下、この発明に係るビジュアル情報の記録方法等の各実施形態について、図１〜図１０を用いて詳細に説明する。なお、図面の説明において、同一部位には同一符号を付して重複する説明を省略する。
【００２４】
まず、ここでは、この発明に係るビジュアル情報の記録方法を実現するための端末装置について説明する。なお、この端末装置は、視線一致した状態での遠隔地対話を実現する特許文献２、３に記載された双方向対話型システムにも適用可能な端末装置であり、単にテキストデータや画像データの送受信が可能な双方向対話型システムにも適応可能である。
【００２５】
図１は、この発明に係るビジュアル情報の記録方法における一実施形態を実現するための端末装置の構成を示す図である。
【００２６】
この図１に示された端末装置は、（ａ）プレゼンター３（自己紹介ビデオを作成する本人）が座る椅子４（高さ調節機構４０を有する）と、（ｂ）プレゼンター３が向かうテーブル２と、（ｃ）プレゼンター３を周辺環境から隔離するためのパーティション２２を備える。
【００２７】
上記椅子４はプレゼンター３の位置を規定するために機能する。この椅子４は当該端末装置の表示部（表示装置）２１との距離を一定に保つために固定されるのが好ましい。しかし、該椅子４が固定されていない場合であっても、テーブル２をプレゼンター３と表示部２１に設置することによりこの椅子４と表示部２１との距離を一定に保つことが可能になる（テーブル２の存在がプレゼンター３の心理的な距離の基準となる事実が確認されている）。
【００２８】
さらに図１に示された端末装置２０は、プレゼンターが行いプレゼンテーション内容を示すテキストカード等を表示する、テーブル２の上に配置された、モニタＴＶ１を備えた表示部２１と、(2)ＣＣＤカメラ（撮像部）５を所定位置に保持するための撮像装置本体６と、音声等を出力するための音声出力部２３（スピーカ）と、(4)プレゼンター３の音声を音声情報として集音するための音声入力部２４（マイク）を備える。さらに、この端末装置は、シナリオ等の編集作業を容易にするため、(5)文字図形入力部２５（キーボード、ポインティング・デバイス、タッチパネルなどのインターフェース）と、(6)信号処理、伝送制御及び映像データの編集作業等を行う映像処理装置２６（制御部含む）とを備える。
【００２９】
図１に示された端末装置において、撮像装置６００は、撮像部である超小型ＣＣＤカメラ５、該ＣＣＤカメラ５を支持した状態で所定位置に設置するための撮像装置本体６を備える。モニタＴＶ１はテーブル２の上に載置されており、プレゼンター３はこのモニタＴＶ１から距離Ｌ（ｍ）離れて置かれた高さ調整機構４０を備えた椅子４に座っている。この距離Ｌは０．５ｍ以上５ｍ以下に設定される。撮影されるプレゼンター３及びモニタＴＶ１間には、外径φ２０ｍｍ以下、長さ１００ｍｍ以下の円筒状の超小型ＣＣＤカメラ５が設けられている。また、このＣＣＤカメラ５はその撮像方向が撮影されるプレゼンター３に向けられるよう設置されている。そしてＣＣＤカメラ５で撮像されたプレゼンター３の映像は、映像処理装置２６へ送られる。なお、プレゼンターによっては表示部２１と該プレゼンター間の間隔が弱冠ずれる可能性もある。したがって、このような状況にも対処すべく、ＣＣＤカメラ５は焦点深度の深いものを選択するのが好ましい。
【００３０】
次に、超小型ＣＣＤカメラ５の具体的な設置位置を図２を用いて説明する。
【００３１】
まず、撮像装置６００の本体６は表示部２１上に設置される。なお、スイッチ２１０はモニタＴＶ１の電源をオン／オフする電源スイッチ等を含む。ＣＣＤカメラ５は、プレゼンター３に提示されるテキストカード９ａ（プレゼンテーション内容）が表示されるモニタ画面８の前方の所定位置に本体６に指示された状態で配置される。ＣＣＤカメラ５は支持部１０を介して本体６に取り付けられ、このＣＣＤカメラ５から取り込まれた映像データはケーブル５０を介して本体６内に送られる。なお、本体６には、解像度切替チャネル６ａと、電源スイッチ６ｂが設けられている。
【００３２】
なお、このモニタ画面８は４インチ程度であれば十分に利用できる。テキストカード９ａ〜９ｃは、プレゼンター３に実際に行っているプレゼンテーションをスムーズに進行さえるため、既に終了したプレゼンテーション内容を示すテキストカード９ｂと、次に行われるプレゼンテーション内容を示すテキストカード９ｃが同一モニタ画面８上に表示されている。具体的には、ＣＣＤカメラ５はモニタ画面８から前方ｗ（ｃｍ）の位置であって、該モニタ画面８に表示されたテキストカード９ａ付近に配置される。
【００３３】
このように超小型のＣＣＤカメラ５は、大型モニタＴＶ１のモニタ画面８に表示されたテキストカード９ａに重なるよう位置しているため、該テキストカード９ａを見るプレゼンター３には特別な支障は生じない。例えば、ＣＣＤカメラ５がモニタ画面８に表示されたテキストカード９ａの縦幅が１０ｃｍ程度であれば、モニタＴＶ１及びプレゼンター３間の距離Ｌが約２．５ｍに設定されている端末装置の場合、視差角は２．３°で十分検知限界の視差角３°を下回ることが可能である（モニタ画面８とＣＣＤカメラ５の間隔ｗが１０ｃｍ程度ある場合でも、視差角の変動には特に影響はない）。この画面８の大きさは、実験の結果、横３５ｃｍ，縦２６ｃｍ程度以上の大きさがあれば良好な双方向対話が実現できることも確認されている。なお、相互の対話者が知人同志であれば、画面の大きさは小さくとも心理的な障害も少ない傾向を示す結果も得られており、画面サイズに関しては用途に応じて使いわけるとよい。
【００３４】
このように、ＣＣＤカメラ５に向かってプレゼンター３が生き生きと語りかけられる状態を効率よく構築するため、原稿や補助となるテキストカード９ａ〜９ｃがＣＣＤカメラ５の周辺に配置される。上述のように、モニタ画面８上に表示されるテキストカード９ａは視線一致状態となる視差角３°以内であるのが好ましいが、厳密さが要求されない場合には、撮像部をモニタ画面と重なるように配置することによっても、該撮像部をモニタ画面の外側に配置する場合と比較して、プレゼンターの表情の伝達性は著しく向上する。
【００３５】
さらに、視差角について、図３を用いて説明する。この明細書において、視差角とは、図３に示されたように、モニタ画面８に表示されたテキストカードへ向けられた、撮影されるプレゼンター３の視線と、ＣＣＤカメラ５へ向けられた、該プレゼンター３の視線とがなす角度θを言う。換言すれば、プレゼンター３の視線に対するＣＣＤカメラ５の設置位置のずれ角を意味している。また、ここでいう視線一致とは、昭和４２年電気四学会連合大会（Ｎｏ．１９９８）で報告されているように、ＣＣＤカメラ５の設置位置による不自然さの許容限界以下を意味している。定量的には、視差角として、左右方向４．５°以下、真上方向１２°、真下方向８°以下を視線一致範囲内としている。もちろん、この視差角は小さい方が良く、左右上下方向３°以下が検知限界とされている。したがって、ＣＣＤカメラ５が設置可能な領域は、図４に示された円錐領域である。なお、この円錐領域は、プレゼンター３の目３０とモニタ画面８に表示されたテキストカードとを結ぶ該プレゼンター３の視線３１に対し、所定距離Ｌ（ｍ）離れた時のモニタ画面８上の視線一致領域９ｂ、及び、該プレゼンター３の目３０の位置とで規定される。
【００３６】
なお、モニタ画面８上に表示されるテキストカードのサイズが小さい場合には、必ずしも該ＣＣＤカメラ５とテキストカードの一部が重なっている必要はない。むしろモニタ画面８上に表示されたテキストカードがＣＣＤカメラ５に隠れてしまい見にくくなる。上述のように視線一致の条件は視差角３°の領域内にＣＣＤカメラ５とテキストカードが存在することであり、具体的に画面から５０ｃｍ離れた位置で約３ｃｍ程度である。したがって、この範囲内であればＣＣＤカメラ５とテキストカードをずらしても視線一致状態は維持される。このテキストカードとＣＣＤカメラ５をずらすには、例えばモニタ画面８上における画像表示位置を調節したり、ＣＣＤカメラ５の支持部１０を調節してＣＣＤカメラ５自体の位置を変更することにより実現される。
【００３７】
図５は、図１に示された端末装置の概略構成を示す図である。この端末装置は、モニタ等の表示部２１と、映像処理部２６と、表示部２１の前方に位置するプレゼンター３を撮像するＣＣＤカメラ５等の撮像部及び撮像ユニット６からなる撮像装置６００、入出力手段として、キーボード３１０、ライトペン３２０、マウス３３０、外部記録装置３４０と、スピーカー３５０、マイク３６０を備える。
【００３８】
上記映像処理部２６は、撮像手段に含まれる撮像ユニット６からの画像情報や他の情報メディアの取り込みや伝送手段２７を介して画像情報等の送受信を行うためのデータ入出力部２６１（図中、Ｉ／Ｏ）と、制御部２６２、送受信される画像情報の他、予めプレゼンター３自身が用意したシナリオ等を格納しておくためのシナリオデータベース２６５（図中、シナリオＤ／Ｂ）、表示部２１へ制御部２６２指示に従って所定のパターンを表示させる描画部２６４と、マウス等の外部入出力手段とのデータ授受を可能にするデータ入出力部２６３（図中、Ｉ／Ｏ）と、一時的にＣＣＤカメラ５から取り込まれた映像データ等を格納する動画像データベース２６６（図中、動画像Ｄ／Ｂ）と、時間管理用のタイマー２６７とを備える。なお、外部記録装置７００は、例えばビデオテープなどの磁気テープ、ビデオＣＤ、光ディスク、ハードディスク、ＤＶＤ、フラッシュメモリ等の記録媒体を含む。この記録媒体には、この発明に係るビジュアル情報の記録方法を実行するコンピュータプログラムが格納されてもよい。
【００３９】
なお、当該端末装置がサーバ２００として機能する場合、上記制御部２６２は通信制御手段として機能する。ここで、伝送手段２７は、遠隔地にある他の端末装置間で画像情報及び音声情報の送受信を可能にするため、光ファイバ伝送路（主伝送路）及び衛星通信伝送路（バックアップ用伝送路）等を含む。なお、この伝送手段２７は有線、無線のいずれであってもよい。また、伝送手段は、既に敷設された電話回線網等のネットワークを含み、さらに種々のデータベースを備えた電子掲示板システム（BBS: Bulletin Board System）も含む。
【００４０】
次にこの発明に係るビジュアル情報の記録方法を、図６のフローチャートを用いて説明する。
【００４１】
このビジュアル情報の記録方法では、まず、図６（ａ）のフローチャートに示されたように、プレゼンター自身によりプレゼンテーションのシナリオが作成される。このシナリオはシナリオＤ／Ｂ２６５に格納させる（ステップＳＴ１）。そして、このシナリオＤ／Ｂに格納されたシナリオに従って、プレゼンテーションのプレテストが行われ（ステップＳＴ２）、先に作成されたシナリオの編集が行われる。このシナリオ編集が終了すると、リハーサルが、プレゼンター自身や指導者によるチェックを経て合格するまで繰り返される（ステップＳＴ３）。このリハーサルに合格すると、最終的に得られたプレゼンテーションのビジュアル情報が所望の記録媒体に記録される（ステップＳＴ４）。なお、プレテスト（ステップＳＴ２）やリハーサル（ステップＳＴ３）におけるプレゼンター自身のプレゼンテーション映像（ビジュアル情報）は、逐次再生できるよう動画像Ｄ／Ｂ２６６に格納される。
【００４２】
上記シナリオ作成作業（ステップＳＴ１）は、例えば図７（ａ）に示されたように、表示部２１のモニタ画面上に文字入力可能領域を有するウィンド９１０を表示し、プレゼンター自身がこのウィンド９１０内の所定領域内に必要事項を入力していくことにより自動的にシナリオデータが作成される入力プログラムを実行することにより行われる。
【００４３】
例えば、自己紹介のプレゼンテーションを行う場合、プレゼンターは、ウィンド９１０内に、以下のようなプレゼンテーション内容を入力していく。
【００４４】
テキストカードＮｏ．１：項目（出身）
内容（名前、出身地、学歴）
テキストカードＮｏ．２：項目（職歴）
内容（現在の仕事、今までの仕事）
テキストカードＮｏ．３：項目（得意分野）
内容（情報処理全般、画像圧縮技術）
テキストカードＮｏ．４：項目（趣味）
内容（クラリネット、天体写真）
テキストカードＮｏ．５：項目（仕事の希望）
内容（技術開発）
上述のような入力項目がシナリオＤ／Ｂ２６５に逐次格納されていく。図７（ｂ）は、上述のようにプレゼンター自身が入力したシナリオデータの論理構造を示す図である。
【００４５】
上記プレテスト（ステップＳＴ２）では、図６（ｂ）のフローチャートに示されたように、予め作成されたシナリオに従って、プレゼンターが行うプレゼンテーションを動画像Ｄ／Ｂ２６６に順次記録していくことにより、評価データを作成する（ステップＳＴ２１）。このプレテストが終了した時点で（ステップＳＴ２２）、プレゼンター自身が動画像Ｄ／Ｂ２６６に格納されたビジュアル情報を再生しながら自らが行ったプレゼンテーションを評価していく（ステップＳＴ２３）。この際、図７（ｃ）に示されたように、各プレゼンテーションの項目ごとに所要時間等の具体的な情報が提示されることにより、プレゼンターは自らが作成したシナリオの再編集が容易になる（ステップＳＴ２４、ＳＴ２５）。
【００４６】
なお、プレゼンテーションは、いきなり開始すると違和感があるので、開始までの時間（５秒程度）を１秒ごとに減少表示させれば、プレゼンターは開始タイミングがとりやすくなる。この場合、単に数字キャラクタを表示してもよいが、例えば扉が徐々に開くなどアニメーション表示してもよい。
【００４７】
次に、上記リハーサル（ステップＳＴ３）では、図６（ｃ）のフローチャートに示されたように、編集されたシナリオに従って行われるプレゼンテーションの評価データが作成される（ステップＳＴ３１）。この評価データは、動画像Ｄ／Ｂ２６６に逐次格納されたプレゼンター自身の動画像データである。そして、この評価データを再生しながら、自らあるいは指導者が評価する（ステップＳＴ３２）。なお、この評価は、評価者である指導者が遠隔地に居る場合もある。そのよう場合には、例えば図８に示されたように、プレゼンター３Ａと指導者３Ｂ感で伝送手段２７を介してビジュアル情報（互いの動画像１Ａ、１Ｂ）を送信し合うことにより、該プレゼンター３Ａと指導者３Ｂとの間で、視線一致した状態でより綿密なプレゼンテーションの修正を検討することが可能になる。図８の実施形態では、図４に示された領域内に配置されたＣＣＤカメラ５Ａを介して撮像ユニット６Ａが取り込んだプレゼンター３Ａの動画像１Ａが指導者３Ｂ側へ送信される一方、ＣＣＤカメラ５Ｂを介して撮像ユニット６Ｂが取り込んだ指導者３Ｂの動画像１Ｂがプレゼンター３Ａ側へ送信される。そして、このプレゼンテーションの評価に合格するまで、リハーサルを繰り返し行い（ステップＳＴ３３）、最終的に完成したビジュアル情報が動画像Ｄ／Ｂ２６６に格納される。
【００４８】
リハーサルが終了すると、この動画像Ｄ／Ｂ２６６に格納されたビジュアル情報が、例えば、図１０に示されたように、プレゼンテーションの項目とそのプレゼンテーションの映像データ及び音声データが対応付けられた状態で、所望の記録媒体に記録される（ステップＳＴ４）。なお、図１０は、記録媒体に格納されるビジュアル情報の論理構造を説明するための図である。
【００４９】
図９は、プレゼンテーションの際にプレゼンターに提示されるモニタ画面８を示す図である。
【００５０】
この図９に示されたように、モニタ画面８上には、プレゼンテーション全体における経過時間情報と、残存時間情報を示す時計アイコン９００ａと、項目ごとに各プレゼンテーション内容を示すテキストカード９ａ〜９ｃが表示される。テキストカード９ａは、現在プレゼンテーションされている内容を示すテキストカードであり、ＣＣＤカメラ５に重なるよう表示される。このテキストカード９ａの下側には経過時間グラフ９００ｂも表示されている。また、テキストカード９ｂは既にプレゼンテーションが終了した内容を示すテキストカードであり、テキストカード９ｃはこれからプレゼンテーションされる内容を示すテキストカードであり、プレゼンテーション全体のつながりがプレゼンターにとって把握し易いような表示構成になっている。これらテキストカード９ａ〜９ｃは、プレゼンテーションの各項目が終了するごとに図９中の矢印Ｓ１で示された方向に順次スライドしていく。なお、ＣＣＤカメラ５と重なったテキストカードの領域には予め適すと入力できないように設定しておくのがよい。
【００５１】
この図９に中央のテキストカード９ａを読みながらプレゼンテーションが行われることにより、必然的にプレゼンターの視線がＣＣＤカメラ５に向くようになる。これにより、作成されたビジュアル情報を再生する際、観察者は映像中のプレゼンターと間接的に視線一致した状態で関することがかのうになり、より感情豊かなコミュニケーションが実現できる。
【００５２】
以上、説明されたように、ＣＣＤカメラ等の撮像部に向かってプレゼンターが生き生きと語りかけられる状態を効率よく構築するため、この発明では、原稿や補助となるテキストカードをカメラ周辺に配置する。一般的に、モニタ上に表示されるテキストカードは視線一致状態となる視差角３°以内であるのが好ましいが、厳密さが要求されない場合には、撮像部をモニタ画面と重なるように配置することによっても、該撮像部をモニタ画面の外側に配置する場合と比較して、プレゼンターの表情の伝達性は著しく向上する。
【００５３】
また、プレゼンターの生き生きとした表情、視線を伝達することは、コミュニケーションにとって基本的かつ重要なことであるが、さらにプレゼンテーションでは、時間内に終了することも重要である。これを支援する方法として、テキストカードとともにモニタ画面上に時間情報を知らせる表示機能を設けることにより、プレゼンターはプレゼンテーションのペースをつかむことができる。
【００５４】
具体的には、時間軸バーがモニタ画面上に表示されたテキストカード下部に表示されることにより、プレゼンターに時間感覚を持たせることができる。この表示されるテキストカードは、タイムスケジュール（シナリオ）に従って自動的に切り替えられても手動で切り替えられてもよい。
【００５５】
さらに、テキストカードは、予めシナリオの一部として作成しておき、プレゼンテーションのスタート（記録開始）とともにモニタ画面上に表示される。このテキストカードには、話のポイントのみが記載されてもよく、また、原稿の全てが記載されてもよい。原稿が表示される場合には、モニタ画面内の表示範囲に制限があるため、大きな文字キャラクタが該表示範囲内を流れるように表示するのが好ましい。この場合、文字キャラクタの流れるスピードは手動（リアルタイム）入力されてもよく、プリセットされていてもよい。プリセットしておけば、時間内に確実にプレゼンテーションを終了させることが可能になる。
【００５６】
特に、モニタ画面上に表示されるテキストカードが原稿の場合、３行程度を同時に表示し、中央に位置する行をプレゼンターが読むスタイルが好ましい。なお、プレゼンターが読むテキストカードには、モニタ画面上に表示されたときに撮像部と重なる部分があるため、この重なる領域には予め文字入力できないようにソフト的に制限を加えておくのが好ましい。ただし、撮像部とテキストカードの表示位置の調整は、ハード的に（撮像部の配置位置の調整）又はソフト的に（テキストカードの表示位置の調整）行うことができる。
【図面の簡単な説明】
【００５７】
【図１】この発明に係るビジュアル情報の記録方法における一実施形態を実現するための端末装置の外観を示す図である。
【図２】図１に示された撮像装置におけるＣＣＤカメラの設置位置を説明するための図である。
【図３】視差角を説明するための図である。
【図４】ＣＣＤカメラが設置されるべき領域を示す図である。
【図５】図１に示された端末装置の構成を示す図である。
【図６】この発明に係るビジュアル情報の記録方法を説明するためのフローチャートである。
【図７】この発明に係るビジュアル情報の記録方法を補足説明するための図である（その１）。
【図８】この発明に係るビジュアル情報の記録方法を補足説明するための図である（その２）
【図９】この発明に係るビジュアル情報の記録方法の実施中におけるモニタ画面の表示例を示す図である。
【図１０】記録媒体に格納されるビジュアル情報の論理構造を説明するための図である。
【符号の説明】
【００５８】
８…モニタ画面、２１…表示部（表示装置）、３…プレゼンター（本人）、５…撮像部（ＣＣＤカメラ）、６…本体、６００…撮像装置、２６…映像処理装置。
【図１】
2005027236.tif 000003
【図２】
2005027236.tif 000004
【図３】
2005027236.tif 000005
【図４】
2005027236.tif 000006
【図５】
2005027236.tif 000007
【図６】
2005027236.tif 000008
【図７】
2005027236.tif 000009
【図８】
2005027236.tif 000010
【図９】
2005027236.tif 000011
【図１０】
2005027236.tif 000012